(57)【要約】【課題】釣りを楽しみ、釣り上げた魚を食して楽しむ、という観点で釣り具が提供されていないので、釣りの本来の目的が食料の調達にありレジャーとしての釣りはその擬似体験であることを忘れ、折角釣った魚を、調理できないというだけの理由で簡単に廃棄していた。【解決手段】釣り針、ハリスなどが予めセットされ一つの包装袋内に収納され、対象魚別となった釣り仕掛けであって、この袋には該対象魚のさばき方や調理方法等の情報が記載された印刷物が収納又は貼付されている。【選択図】                図１
2004337085.tif 000002
【特許請求の範囲】
【請求項１】
釣り針、ハリスなどが予めセットされ一つの包装袋内に収納され、対象魚別となった釣り仕掛けであって、この袋には該対象魚のさばき方や調理方法等の情報が記載された印刷物が収納又は貼付されているものであることを特徴とする釣り仕掛け。
【発明の詳細な説明】
【０００１】
【発明の属する技術分野】
本発明は、対象魚を絞って製作される、例えば「アジ用仕掛け」「カレイ用仕掛け」等を典型例とする釣り仕掛けの構造に関するものである。
【０００２】
【従来の技術】
釣ろうとしている魚の種類や大きさによって最適な釣り針の種類や大きさがあり、またその釣り針に見合った太さのハリスがある。そこでこのような釣り針やハリス、ヨリモドシ等をセットした釣り仕掛けが製品として多種多数出回っており、初心者ばかりでなく相当の熟練者にも愛用されている。
【０００３】
これらを購入した釣り愛好家は、ハリスに釣り針を結着するといった煩わしさから解放されて釣りに専念できることになる。そして釣り上げた魚は、家に持ち帰り、調理できるものであれば調理され食卓に上がることになる。
【０００４】
【発明が解決しようとする課題】
しかし、切り身となった魚しか購入せず従って魚のさばき方すら知らない家庭が増えているという現実を反映してか、釣ってきた魚はそのままでは、となり近所へのお裾分けにはなりにくい。結局折角釣り上げたにもかかわらず、扱い方を知らないが故にこれを捨ててしまう例も少なくない。勿論、アジにはアジの、カレイにはカレイのさばき方があるとしても、またこれらの魚独特の調理法もあるだろうけれど、そうした知識はどこかの料理の本のどこかのページに適当なものが見つかるはずである。しかし、初めての釣りをしようとする者が、例えばアジを釣ってやろうと思って釣り具の準備をするときに、アジ料理の本も購入しておくということは極めて稀である。かと言って、釣りから帰ってきたその足で本屋に走るというのもまた稀である。つまり、魚を釣り上げ釣り上げた魚を食する、という一連を楽しむのが釣り本来の姿であるとすれば、近時のこうした傾向は釣りを本当に楽しみにくくなっていると言えるものである。
【０００５】
【課題を解決するための手段】
そこで本発明者は、上記諸点に鑑み鋭意研究の結果遂に本発明を成したものであり、その特徴とするところは、釣り針、ハリスなどが予めセットされ一つの包装袋内に収納され、対象魚別となった釣り仕掛けであって、この袋には該対象魚のさばき方や調理方法等の情報が記載された印刷物が収納又は貼付されている点にある。
【０００６】
即ち本発明は、レシピを備えた釣り仕掛けであり、例えばアジを対象魚とする釣り仕掛けの場合であれば、「アジの南蛮漬け」「アジのタタキ」「アジの塩焼き」等の料理の中の一品目のレシピを仕掛け収納袋に入れるか付けるようにしたというものである。
【０００７】
釣り仕掛けにとって不可欠の「釣り針」「ハリス」等は本発明においても必要であるが、本発明にとって重要ではない。重要であるのは、その釣り仕掛けが何という「魚」を目当てとする仕掛けであるのか、という点である。勿論、目当てとする魚が１種類でないこともあるが、同じ調理法で済む場合には一つのレシピを入れておけば良い。例えば、対象魚が「アナゴ」と「ウナギ」でありレシピが「蒲焼き」という場合、等がこれに該当する。或いは「五目釣り」用の仕掛けの如く特定の対象魚というものを持たない仕掛けの場合でも、当該仕掛けの構造や釣り針の大きさ、ハリスの太さなどから実際に釣り上げられるであろう魚の種類や大きさはある程度限定されるので、料理レシピの作成は可能である。つまり、「対象魚別」という語句でいうところの「対象魚」は１種類に限定されるものではない。
【０００８】
対象魚のさばき方（内臓の取り出し方や包丁の入れ方、魚皮のひき方等）や調理方法等の情報が記載された印刷物、即ちレシピ印刷物の形態については、特に限定しない。１枚のシートを折り畳んだような形態であっても良いし、冊子状にしても良い。或いは、釣り仕掛けを掛合させておく台紙を予め大型のものとしてそこにレシピ印刷領域を確保するといった方法もある。この方法の場合、釣り仕掛け自体の取り扱い上の注意などを記載した領域と、レシピを記載してある領域とは、釣りをしている時、釣った魚を持ち帰った時とで必要・不必要が明確に区別されるので、レシピ印刷領域は袋綴じにするなどして見やすくしておくのが好ましい。
【０００９】
なお一般に「釣り仕掛け」は、「アジサビキ仕掛け」「キス投げ釣り仕掛け」といった表示を付して商品となっている場合が多いが、本発明の場合には「カレイの唐揚げ」「イシモチのムニエル」というふうに料理名を仕掛けの名称とすると、個性的な製品であることが強くアピールでき購買者の興味を引きやすい。但し本発明はこれに限定されるものではなく、「料理レシピ付き」という記載を付加しておくだけでも良いし、或いは、通常の製品に対象魚の料理レシピを添付するようにしても良いものとする。
【００１０】
【発明の実施の形態】
以下図面に基づき本発明を更に詳細に説明する。
【００１１】
図１は、本発明に係る釣り仕掛け１（以下本発明仕掛け１という）の一例を示すものであり、図より明らかなように本発明仕掛け１は、台紙２に仕掛け３が掛
止され、透明な包装袋４内に納められた釣り仕掛けであるが、この包装袋４内にはこれら以外にレシピシート５が台紙２の裏側位置に別途収納されている。本例の仕掛け３は、キス針６号、ハリス  ０．８号、幹糸２号にて構成される投げ天秤式キス釣り仕掛けであるが、他の構造のもの、他の対象魚用のもの、他のサイズのものが多種設定されている。また同梱されているレシピシート５は、この仕掛け３によって釣り上げられるであろうキスを材料とする天ぷらの調理法を記載したものである。レシピの記載内容は、キスのさばき方、天ぷらコロモの作り方、揚げ油の適温、天つゆの作り方、盛りつけ方、等であるが、内容自体は特別なものではない。また、通常の料理レシピにはない記載、例えば釣り上げたキスを鮮度を維持して持ち帰るための方法等を記しておいても便利である。
【００１２】
またこのような釣り仕掛けは、通常であれば「キス仕掛け」や「投げ天秤式キス仕掛け」といった名称が印刷されるところであるが、本例の場合、「キスの天プラ」となっている。即ち「料理名」が釣り用仕掛けの名称となっている。釣り用品店の商品棚の中に「料理名」が記載された商品が吊り下げられているという状況は極めて斬新であり、購買者の目を引くことは間違いない。なお実際には、仕掛け自体の表示その他（例えば仕掛けの種類や長さ、定価や社名など）についても併せて記載されているが、図面ではそのほとんどを省略している。
【００１３】
図２は、本発明の他の例を示すものであり、レシピの印刷物がシートではなく冊子となっている。また本例の場合このレシピ冊子６は包装袋４内に納められるのではなく、別体である透明な冊子袋７に入れられた上で包装袋４の表側に貼着される。図は貼着前の状態を示している。これが本体の波線（想像線であり実際には描かれていない）の位置に両面粘着テープ等により貼着される。なお、冊子袋７を使用せずレシピ冊子６を直接包装袋４に貼着するようにしても良い（図示せず）。更に、レシピシート５の場合にも、それを直接包装袋４に貼着しても、包装袋４とは別体の袋にレシピシート５を入れこれを包装袋４に貼着するようにしても良い（図示せず）。
【００１４】
【発明の効果】
以上詳細に説明したように本発明に係る釣り仕掛けは、釣り針、ハリスなどが予めセットされ一つの包装袋内に収納され、対象魚別となった釣り仕掛けであって、この袋には該対象魚のさばき方や調理方法等の情報が記載された印刷物が収納又は貼付されているものであることを特徴とするものであり、以下述べる如き効果を有する極めて高度な発明である。
【００１５】
（１）  釣り仕掛けを購入すると、その仕掛けで釣れるであろう魚の調理方法等の情報も同時に獲得できるので、釣魚を食する楽しみを万人が得ることができることになる。
（２）  料理名別で商品が成り立っているので、これまで釣り針の種類、ハリスの太さ、等の違いだけで商品を選択していた購買者にとってみると、例えば「塩焼き」「煮付け」「天ぷら」のどれを選ぼうかといった極めて斬新な選択方法が提供されることになり、個性的で印象に残りやすい商品となる。
【図面の簡単な説明】
【図１】本発明に係る釣り仕掛けの一例を示す概略平面図である。
【図２】本発明に係る釣り仕掛けの他の例を示す概略平面図である。
【符号の説明】
１        本発明に係る釣り仕掛け
２    台紙
３    仕掛け
４    包装袋
５    レシピシート
６    レシピ冊子
７    冊子袋
【図１】
2004337085.tif 000003
【図２】
2004337085.tif 000004